(57)【要約】【課題】許可を経ていない状況でキャビネット内の物品が取り出されるとアラートメッセージを発する仮想扉を備えたキャビネットを提供すること。【解決手段】キャビネット本体１０は収納室１１と開放口１２を備え、仮想扉２０は開放口１２に設置されて非接触で物品をスキャンし、物品が仮想扉２０を通過したときトリガー情報を生成し、警報器３０はアラートメッセージを生成可能であり、識別装置４０は識別情報を受信でき、コントローラ５０は初期動作状態で識別情報の待機と検証を行い、識別情報を受信しない、または識別情報が検証を通過せずトリガー情報を受信したとき、アラートメッセージを生成させ、識別情報が検証を通過してから所定の時間以内にトリガー情報を受信したとき、アラートメッセージを生成させず、識別情報が検証を通過してから所定の時間を経過した後、初期動作状態に戻る。【選択図】図１
0003219597.tif 000002
【実用新案登録請求の範囲】
【請求項１】
仮想扉を備えたキャビネットであって、キャビネット本体と、仮想扉と、警報器と、識別装置と、コントローラを含み、
前記キャビネット本体が内部に物品の収納に用いる収納室と、該収納室と外部を連通するための少なくとも１つの開放口を備え、前記収納室内の物品は該開放口を通過してのみ前記キャビネット本体の該収納室から出し入れすることができ、
前記仮想扉が前記キャビネット本体の開放口に設置され、該仮想扉が非接触方式で前記開放口を通過する物品をスキャンし、スキャンで該物品が該仮想扉を通過することを検出したときトリガー情報を生成し、
前記警報器が、スピーカー及び（または）発光素子を含み、音声及び（または）光によりアラートメッセージを生成するために用いられ、
前記識別装置が使用者または消費者の提供する識別情報を受信するために用いられ、
前記コントローラが前記仮想扉、警報器、識別装置に電気的に接続され、該コントローラが初期動作状態で前記識別装置が受信する識別情報の待機と検証を行い、前記識別情報を受信しない、または前記識別情報が検証を通過せず前記トリガー情報を受信したとき、前記コントローラが前記警報器を作動させて前記アラートメッセージを生成させ、前記識別情報が検証を通過したときから起算して所定の時間以内に前記トリガー情報を受信したとき、前記コントローラが前記警報器を制御して前記アラートメッセージを生成させず、前記識別情報が検証を通過したときから起算して所定の時間を経過した後、前記コントローラが再び前記初期動作状態に戻り、前記識別装置が受信する前記識別情報の待機と検証に用いられる、ことを特徴とする、仮想扉を備えたキャビネット。
【請求項２】
前記仮想扉が、レーザーセンサー、赤外線センサー、超音波センサー、視覚識別装置、マイクロ波センサーのうちのいずれかで構成され、開放口を通過する物品のスキャンに用いられることを特徴とする、請求項１に記載の仮想扉を備えたキャビネット。
【請求項３】
前記警報器が、スピーカー及び（または）発光素子を含み、音声及び（または）光形式のアラートメッセージを生成するために用いられることを特徴とする、請求項１に記載の仮想扉を備えたキャビネット。
【請求項４】
前記キャビネット本体の収納室がＲＦＩＤタグを貼付した物品の収納に用いる複数個の収納層を備え、該各収納層に、対応する該収納層の物品のスキャンに用いるＲＦＩＤリーダライタが配置され、該各ＲＦＩＤリーダライタが前記コントローラに電気的に接続され、該コントローラが前記各ＲＦＩＤリーダライタを通じてＲＦＩＤタグを貼付した物品に対して棚卸しを行うことを特徴とする、請求項１に記載の仮想扉を備えたキャビネット。
【請求項５】
前記キャビネット本体に冷却機または加熱機が配置され、該キャビネット本体の開放口に、該開放口にエアカーテンを形成するために用いるエアカーテン装置が設置されたことを特徴とする、請求項１に記載の仮想扉を備えたキャビネット。
【請求項６】
前記識別装置が、ＮＦＣセンサー、ＱＲコードセンサー、ＲＦＩＤリーダライタのうちのいずれかを含むことを特徴とする、請求項１に記載の仮想扉を備えたキャビネット。
【請求項７】
前記コントローラが物品販売システムに電気的に接続され、該コントローラが前記識別装置を通じて受信した識別情報を前記物品販売システムに送信して該識別情報を検証し、及び該物品販売システムが返す識別情報の検証結果を受信することを特徴とする、請求項１または６に記載の仮想扉を備えたキャビネット。
【請求項８】
ディスプレイ画面と、移動機構を含み、該ディスプレイ画面が前記キャビネット本体の開放口に可動的に設置され、該移動機構が前記キャビネット本体に設置されて、前記ディスプレイ画面を動かして前記開放口を閉じる封鎖位置まで移動させると共に、前記ディスプレイ画面を動かして前記開放口を開放する開放位置まで移動させるために用いられ、該移動機構が前記コントローラに電気的に接続され、前記ディスプレイ画面が常態下で封鎖位置に位置し、前記警報器がオフの間のみ、前記移動機構がディスプレイ画面を開放位置まで移動させることを特徴とする、請求項７に記載の仮想扉を備えたキャビネット。
【請求項９】
前記コントローラが第三者支払いサービスプラットフォームに電気的に接続され、前記コントローラが前記識別装置を通じて受信した識別情報を該第三者支払いサービスプラットフォームに送信して該識別情報を検証し、及び該第三者支払いサービスプラットフォームが返す識別情報の検証結果を受信することを特徴とする、請求項１または６に記載の仮想扉を備えたキャビネット。
【請求項１０】
ディスプレイ画面と、移動機構を含み、該ディスプレイ画面が前記キャビネット本体の開放口に可動的に設置され、該移動機構が前記キャビネット本体に設置されて、前記ディスプレイ画面を動かして前記開放口を閉じる封鎖位置まで移動させると共に、前記ディスプレイ画面を動かして前記開放口を開放する開放位置まで移動させるために用いられ、該移動機構が前記コントローラに電気的に接続され、前記ディスプレイ画面が常態下で封鎖位置に位置し、前記警報器がオフの間のみ、前記移動機構がディスプレイ画面を開放位置まで移動させることを特徴とする、請求項９に記載の仮想扉を備えたキャビネット。
【考案の詳細な説明】
【技術分野】
【０００１】
本考案は、許可を経ていない状況下でキャビネット内に置かれた物品がキャビネットから取り出されるとアラートメッセージを発する、仮想扉を備えたキャビネットに関する。
【背景技術】
【０００２】
労働人口の減少と労働人口の高齢化の問題を背景に、無人商店、無人銀行、無人酒店、無人工場が徐々に増加しており、無人経済と呼ばれる新たな商業形態が形成されている。一部のすでに商業化された無人商店としては、米国のＡｍａｚｏｎ  Ｇｏ（登録商標）が典型的な代表であり、管理する人がいない商店に入った消費者は、直接棚の上の商品を手に取り、店のドアを出ると携帯電話内のお財布に合計金額が表示され、自動的に支払いが行われる。
【０００３】
公知の特許文献１には、モノのインターネット技術に基づいたインテリジェント型自動販売機が開示されている。
これは、基本的に前述の無人商店を実現した技術であり、このインターネット技術に基づいたスマート型自動販売機は、主制御システムと、少なくとも１つの棚と、該主制御システムに接続されたＲＦＩＤリーダライタと、該主制御システムに接続された会計システムと、を含む。
前記棚はＲＦＩＤタグを貼付した商品を置くために用いられ、各棚の上に主制御システムに接続された扉が設置され、各棚の内部にＲＦＩＤアンテナが設置され、前記ＲＦＩＤリーダライタが各ＲＦＩＤアンテナを通じて各棚の内部に置かれたすべての商品のＲＦＩＤタグの情報を読み取る。さらに、外囲封鎖構造を含み、該外囲封鎖構造が少なくとも各棚と前記会計システムをその内部に収納し、かつその内部に顧客が商品を選択して購入するために提供する活動区域が形成され、前記主制御システムに接続された第１電子ロックが取り付けられ、かつ前記活動区域に連通された通行ドアが設置されている。
顧客は通行ドアを通過して外囲封鎖構造の活動区域内に進入することができる。
棚の扉が開かれた状態にあるとき、または棚内部の商品が取り出され、かつ支払い操作が未完了のとき、主制御システムが通行ドア上の第１電子ロックをロック状態に切り替え、通行ドアをロックし、顧客が支払いを済ませた後のみ立ち去ることができるように確約する。
【０００４】
別の無人商店に類似した物品の自動販売機能を備えた技術が自動販売機であり、早期の自動販売機は主に硬貨投入式で、消費者が自ら硬貨を用意し、手動方式で機器を操作して商品を選択するもので、毎回１件の商品を購入できるのみであり、使用上不便である。
典型的な無人商店と比較して、早期の自動販売機は多種類および多数の商品の自動販売を実現することはできず、かつ現在普及が進んでいるモバイル決済、第三者支払いサービス、または電子決済の支払方法をサポートしていない。
【０００５】
特許文献２には、ネットワーク機能を備えたセルフサービス式インテリジェント販売機が開示されている。
これは、ＲＦＩＤタグを備えた商品を販売するもので、セルフサービス式販売ユニットを基礎とし、複数のセルフサービス式販売ユニットを組み合わせて１台のセルフサービス式インテリジェント販売機としたもので、顧客はカードをスワイプした後、自ら商品ボックスの扉を開け、商品を選んだ後商品ボックスの扉を閉めて、販売過程が完了する。
このセルフサービス式販売ユニットは、カードスワイプ機構と連動するドアロック開閉機構と、ＲＦＩＤ技術を利用して商品ボックス内商品をカウントするカウント・価格計算システム及びセキュリティコントロールシステムと、中央処理ユニットシステム及びネットワーク接続システムと、透明材質のドアを備え、内部に省エネ照明システムを装備した商品ボックスと、カードスワイプ・料金計算・表示・プリントシステムとリアルタイム録画・ＩＤ識別システムと、を含む。セルフサービス式インテリジェント販売機の上部にディスプレイ画面が配置され、広告を再生することができる。
【０００６】
前述の２つの特許技術はいずれも実体ドアを採用しており、それぞれ前者は通行ドア、後者は商品ボックスのドアであるが、商品が未払いの状況下で消費者に持ち去られることを効果的に防止できるものの、このような実体ドアの技術は、設置のコストが増加するだけでなく、消費者が購入過程で不便に感じやすい。
【先行技術文献】
【特許文献】
【０００７】
【特許文献１】中華人民共和国実用新案第ＣＮ２０４８５６７１０Ｕ号明細書
【特許文献２】中華人民共和国特許第ＣＮ１０１９４４２４８Ａ号明細書
【考案の概要】
【考案が解決しようとする課題】
【０００８】
本考案が解決しようとする課題は、許可を経ていない状況下でキャビネット内に置かれた物品がキャビネットから取り出されるとアラートメッセージを発することができる、仮想扉を備えたキャビネットを提供することにある。
【課題を解決するための手段】
【０００９】
本考案の仮想扉を備えたキャビネットは、キャビネット本体と、仮想扉と、警報器と、識別装置と、コントローラを含み、前記キャビネット本体が内部に物品の収納に用いる収納室と、該収納室と外部を連通するための少なくとも１つの開放口を備え、前記収納室内の物品は該開放口を通過してのみ前記キャビネット本体の該収納室から出し入れすることができ、前記仮想扉が前記キャビネット本体の開放口に設置され、該仮想扉が非接触方式で前記開放口を通過する物品をスキャンし、スキャンで該物品が該仮想扉を通過することを検出したときトリガー情報を生成し、前記警報器が、スピーカー及び（または）発光素子を含み、音声及び（または）光によりアラートメッセージを生成するために用いられ、前記識別装置が使用者または消費者の提供する識別情報を受信するために用いられ、前記コントローラが前記仮想扉、警報器、識別装置に電気的に接続され、該コントローラが初期動作状態で前記識別装置が受信する識別情報の待機と検証を行い、前記識別情報を受信しない、または前記識別情報が検証を通過せず前記トリガー情報を受信したとき、前記コントローラが前記警報器を作動させて前記アラートメッセージを生成させ、前記識別情報が検証を通過したときから起算して所定の時間以内に前記トリガー情報を受信したとき、前記コントローラが前記警報器を制御して前記アラートメッセージを生成させず、前記識別情報が検証を通過したときから起算して所定の時間を経過した後、前記コントローラが再び前記初期動作状態に戻り、前記識別装置が受信する前記識別情報の待機と検証に用いられる。
【００１０】
本考案の仮想扉を備えたキャビネットの好ましい態様として、前記仮想扉が、レーザーセンサー、赤外線センサー、超音波センサー、視覚識別装置、マイクロ波センサーのうちのいずれかで構成され、開放口を通過する物品のスキャンに用いられる。
本考案の仮想扉を備えたキャビネットの好ましい態様として、前記警報器が、スピーカー及び（または）発光素子を含み、音声及び（または）光形式の該アラートメッセージを生成するために用いられる。
本考案の仮想扉を備えたキャビネットの好ましい態様として、前記キャビネット本体の収納室がＲＦＩＤタグを貼付した物品の収納に用いる複数個の収納層を備え、該各収納層に、対応する該収納層の物品のスキャンに用いるＲＦＩＤリーダライタが配置され、該各ＲＦＩＤリーダライタが前記コントローラに電気的に接続され、該コントローラが前記各ＲＦＩＤリーダライタを通じてＲＦＩＤタグを貼付した物品に対して棚卸しを行う。
【００１１】
本考案の仮想扉を備えたキャビネットの好ましい態様として、前記キャビネット本体に冷却機または加熱機が配置され、該キャビネット本体の開放口に、該開放口にエアカーテンを形成するために用いるエアカーテン装置が設置される。
本考案の仮想扉を備えたキャビネットの好ましい態様として、識別裝置が、ＮＦＣセンサー、ＱＲコードセンサー、ＲＦＩＤリーダライタのうちのいずれかを含み、使用者はＮＦＣセンサー、ＱＲコードセンサー、ＲＦＩＤリーダライタのいずれかに対応したＩＤ識別装置を使用し、ＩＤ識別装置を通じて識別情報を提供することができる。
【００１２】
本考案の仮想扉を備えたキャビネットの好ましい態様として、前記コントローラが物品販売システムに電気的に接続され、該コントローラが前記識別装置を通じて受信した識別情報を前記物品販売システムに送信して該識別情報を検証し、及び該物品販売システムが返す識別情報の検証結果を受信する。
本考案の仮想扉を備えたキャビネットの好ましい態様として、前記コントローラが第三者支払いサービスプラットフォームに電気的に接続され、前記コントローラが前記識別装置を通じて受信した識別情報を該第三者支払いサービスプラットフォームに送信して該識別情報を検証し、及び該第三者支払いサービスプラットフォームが返す識別情報の検証結果を受信する。
【００１３】
本考案の仮想扉を備えたキャビネットの好ましい態様として、ディスプレイ画面と、移動機構を含み、該ディスプレイ画面が前記キャビネット本体の開放口に可動的に設置され、該移動機構が前記キャビネット本体に設置されて、前記ディスプレイ画面を動かして前記開放口を閉じる封鎖位置まで移動させると共に、前記ディスプレイ画面を動かして前記開放口を開放する開放位置まで移動させるために用いられ、該移動機構が前記コントローラに電気的に接続され、前記ディスプレイ画面が常態下で封鎖位置に位置し、前記警報器がオフの間のみ、前記移動機構がディスプレイ画面を開放位置まで移動させる。
【考案の効果】
【００１４】
本考案の仮想扉を備えたキャビネットの有益な効果は、販売システムと支払いシステムを結合して使用でき、許可を経ていない状況下でキャビネット内に置かれた物品がキャビネットから取り出されるとアラートメッセージを発し、注意を喚起することができる点にある。
【図面の簡単な説明】
【００１５】
【図１】本考案の実施例１を示す仮想扉を備えたキャビネットの斜視図である。
【図２】本考案の実施例１を示す仮想扉を備えたキャビネットのブロック図である。
【図３】本考案の実施例２を示す仮想扉を備えたキャビネットの斜視図である。
【図４】本考案の実施例３を示す仮想扉を備えたキャビネットの斜視図である。
【図５】本考案の実施例に係る仮想扉を備えたキャビネットの物品販売の機能ブロック図である。
【図６】本考案の実施例に係る仮想扉を備えたキャビネットの第三者支払いサービスの機能ブロック図である。
【図７】本考案の実施例に係る仮想扉を備えたキャビネットの動作のフローチャートである。
【図８−１】本考案の実施例４を示す仮想扉を備えたキャビネットの開放口閉鎖時における側面図である。
【図８−２】本考案の実施例４を示す仮想扉を備えたキャビネットの開放口開放時における側面図である。
【考案を実施するための形態】
【００１６】
以下、図面に基づいて本考案の実施例を詳細に説明する。当然、以下の説明に参照する図面は、単に本考案のいくつかの実施例を示したものに過ぎず、当業者であれば、これら図面に基づきその他の具体例を得ることが可能であろう。
図１と図２に本考案の実施例１を示す。図１は、仮想扉を備えたキャビネットの斜視図であり、図２はその機能ブロック図である。
本考案の仮想扉を備えたキャビネットは、キャビネット本体１０と、仮想扉２０と、警報器３０と、識別装置４０と、コントローラ５０を含む。
【００１７】
キャビネット本体１０は、内部に物品の収納に用いる収納室１１と、キャビネット本体１０の収納室１１と外部を連通するための少なくとも１つの開放口１２を備え、収納室１１内の物品は該開放口１２を通過してのみキャビネット本体１０の収納室１１から出し入れすることができる。
キャビネット本体１０の一実施態様は、フレーム１０１と、フレーム１０１の表面に固定された外殼１０２で構成され、例えば金属、木材またはプラスチック材料でフレーム１０１と外殼１０２を製作し、重要または機密保持が必要な物品を入れるために用いられる。例えば重要文書のキャビネットの場合、外殼１０２は不透明な材質を選択して製造することが好ましく、販売物品を入れるキャビネットの場合、外殼１０２は透明で、消費者がキャビネット本体１０の外側から直接肉眼で内部の物品を見て、物品を選んだり、取り出したりすることができることが好ましい。
【００１８】
仮想扉２０は、キャビネット本体１０の開放口１２の周囲に設置され、非接触方式で開放口１２を通過する物品をスキャンし、物品が仮想扉２０を通過したことを検出したとき、トリガー情報を生成する。
仮想扉２０はレーザーセンサー、赤外線センサー、超音波センサー、視覚識別装置、マイクロ波センサーのうちのいずれかで構成することができ、開放口１２を通過するあらゆる物品のスキャンに用いられる。
【００１９】
警報器３０の好ましい実施態様はスピーカー及び（または）発光素子を含み、音声及び（または）光形式のアラートメッセージの生成に用いられる。
【００２０】
識別装置４０は、識別情報を受信するために用いられ、基本的に使用者または消費者のＩＤ情報、特に、キャビネット本体１０の収納室１１内に入れられた物品を取り出す使用者または消費者のＩＤ情報の確定に用いられる。
識別装置４０は、ＮＦＣセンサー、ＱＲコードセンサー、ＲＦＩＤリーダライタのうちのいずれかを含み、使用者はＮＦＣセンサー、ＱＲコードセンサー、ＲＦＩＤリーダライタのいずれかに対応したＩＤ識別装置を使用し、識別情報を提供することができる。ＩＤ識別装置は、例えば携帯電話、ＮＦＣ対応携帯電話、ＲＦＩＤタグを備えたカード等で、使用者または消費者のＩＤ情報を記録できる識別装置である。
【００２１】
コントローラ５０は、仮想扉２０、警報器３０、識別装置４０に電気的に接続され、初期動作状態下で識別装置４０が受信する識別情報の待機と検証に用いられる。
コントローラ５０は仮想扉２０を通じて収納室１１から出し入れされる物品を監視し、かつ識別情報の検証結果に基づいて警報器３０を制御し、音声及び（または）光形式のアラートメッセージを生成させるか、警報器３０をオフにする。
コントローラ５０の動作の好ましい一実施態様として、コントローラ５０は初期動作状態下で識別装置４０が受信する識別情報の待機と検証に用いられ、識別情報を受信していない、または識別情報が検証を通過せず該トリガー情報を受信したとき、コントローラ５０が警報器３０を作動させてアラートメッセージを生成させ、識別情報が検証を通過したときから起算した所定の時間長さ以内に該トリガー情報を受信したとき、コントローラ５０が警報器３０を制御して該アラートメッセージを生成させず、識別情報が検証を通過したときから起算して所定の時間長さを超過した後、該コントローラ５０が再び初期動作状態に戻り、識別装置４０が受信する識別情報の待機と検証に用いられる。
【００２２】
図３は、本考案の実施例２を示す。
実施例２の仮想扉を備えたキャビネットでは、キャビネット本体１０の収納室１１がＲＦＩＤタグを貼付した物品の収納に用いる複数個の収納層１３を備え、各収納層１３に対応し、収納層１３の物品のスキャンに用いるＲＦＩＤリーダライタ１４が配置され、各ＲＦＩＤリーダライタ１４がコントローラ５０に電気的に接続される。そして、コントローラ５０が各ＲＦＩＤリーダライタ１４を通じてＲＦＩＤタグを貼付した物品に対して棚卸しを行い、層毎の棚卸し機能を実現することができる。
【００２３】
図４は本考案の実施例３を示す。
本実施例の仮想扉を備えたキャビネットでは、キャビネット本体１０に冷却機または加熱機６０が配置され、キャビネット本体１０の開放口１２に、開放口１２にエアカーテンを形成するために用いるエアカーテン装置６１が設置され、物品に対する保冷または保温の機能を実現することができる。
【００２４】
図５に示すように、本考案の仮想扉を備えたキャビネットにおいて、コントローラ５０が物品販売システム７０に電気的に接続され、コントローラ５０が識別装置４０を通じて受信した識別情報を物品販売システム７０に送信して該識別情報を検証すると共に、物品販売システム７０が返した識別情報の検証結果を受信して、物品の自動販売機能を実現することができる。
【００２５】
本考案の仮想扉を備えたキャビネットは、さらに、第三者支払いサービス機能を有することが好ましい。
図６に示すように、コントローラ５０が第三者支払いサービスプラットフォーム８０に電気的に接続され（例えばインターネットまたは情報ネットワークを通じて電気的接続を実現できる）、コントローラ５０が識別装置４０を通じて受信した識別情報を第三者支払いサービスプラットフォーム８０に送信して該識別情報を検証すると共に、第三者支払いサービスプラットフォーム８０が返した識別情報の検証結果を受信して、物品の自動販売と第三者支払いサービス機能を実現することができる。
【００２６】
図７は、本考案の仮想扉を備えたキャビネットの動作のフローチャートである。本考案の仮想扉を備えたキャビネットは次の高低にしたがって動作する。
工程Ａ１：識別情報を待機する。つまり、コントローラ５０は初期動作状態下で識別装置４０が受信する識別情報の待機と検証に用いられ、警報器３０がアラートメッセージを生成できる状態、即ちオンの状態に維持される。
【００２７】
工程Ａ２：コントローラ５０が識別情報を受信したか否かを判断する。識別情報を受信していない場合は工程Ａ１に戻り、反対に識別情報を受信した場合は識別情報の検証を行い、識別情報が検証を通過した場合、次の工程Ａ３に進み、識別情報が検証を通過しない場合、工程Ａ１に戻る。つまり、警報器３０は平時識別情報を受信していない状況下でアラートメッセージを生成できるオンの状態が維持され、誰かが識別情報を提供しない、または識別情報の検証を通過しない状況下で、キャビネット本体１０の収納室１１から任意に物品を取り出すと、コントローラ５０がこのような許可を経ていない状況下でキャビネット本体１０内に入れられた物品がキャビネット本体１０から取り出されたことを検出し、警報器３０を制御してアラートメッセージを生成させる。
【００２８】
工程Ａ３：コントローラ５０が警報器３０をオフにして時間のカウントを開始する。
【００２９】
工程Ａ４：コントローラ５０が仮想扉２０を通じてキャビネット本体１０の収納室１１から物品が取り出されたか否かをスキャンし、物品の取出しが検出されない場合、工程Ａ５に進み、反対に物品の取出しが検出された場合、工程Ａ６を実行する。
【００３０】
工程Ａ５：工程Ａ３で開始された時間のカウントが所定の時間長さを超過したか否かを判断し、所定の時間長さを超過した場合工程Ａ１に戻り、反対に所定の時間長さをまだ超過していない場合、工程Ａ４に戻る。好ましい一実施態様として、安全面を考慮し、識別情報が検証を通過したときから起算（つまり警報器３０をオフにして時間のカウントを開始したときから起算）して所定の時間長さを超過したのに、物品の取り出し動作が検出されないと、コントローラ５０がこの回の検証記録を取り消して、工程Ａ１に戻る。物品の販売に応用する場合、この回の検証記録を取り消すとは、同時にこの回の取引を取り消すことを表し、工程Ａ１に戻る。
【００３１】
工程Ａ６：コントローラ５０が警報器３０をオンにしてアラートメッセージを生成できる状態に維持し、その後工程Ａ１に戻る。つまり、コントローラ５０が初期動作状態に戻り、工程Ａ１に戻る。
【００３２】
図８−１と図８−２に本考案の実施例４を示し、図８−１は仮想扉を備えたキャビネットの開放口閉鎖時における側面図、図８−２は開放口開放時における側面図を参照する。
実施例４の仮想扉を備えたキャビネットは、ディスプレイ画面１５と移動機構１６を含み、ディスプレイ画面１５はキャビネット本体１０の開放口１２に可動的に設置され、移動機構１６がキャビネット本体１０に設置される。
移動機構１６は、ディスプレイ画面１５を動かして開放口１２を閉じることができる封鎖位置まで移動させ（図８−１を参照）、及びディスプレイ画面１５を動かして開放口１２を開放する開放位置まで移動させる（図８−２を参照）ために用いられる。
【００３３】
ディスプレイ画面１５の好ましい実施態様は、摺動方式で該封鎖位置と該開放位置の間を移動する。例えば、キャビネット本体１０の開放口１２の左右両側にレール１７を設置し、ディスプレイ画面１５がレール１７に摺動可能に設置され、移動機構１６によりディスプレイ画面１５を動かして移動させることができる。
移動機構１６は例えば鋼索機構とし、ディスプレイ画面１５を動かして移動させるために用いられ、移動機構１６はコントローラ５０に電気的に接続される。
ディスプレイ画面１５は常態下で該封鎖位置に位置し、識別情報が検証を通過した後のみコントローラ５０が移動機構１６を動かしてディスプレイ画面１５を開放位置まで移動させる。つまり、警報器３０がオフの間のみ、移動機構１６がディスプレイ画面１５を動かして開放位置まで移動させ、使用者または消費者がキャビネット本体１０内の物品を便利に取り出せるようにする。
【００３４】
ディスプレイ画面１５の好ましい構造は液晶ディスプレイ画面であり、メディア再生機能を備えた液晶ディスプレイ画面とすることができる。
また、コントローラ５０に電気的に接続することで、コントローラ５０によりディスプレイ画面１５を制御して広告や商品情報を表示させてもよい。また、本考案のキャビネットを冷蔵キャビネットまたは冷凍キャビネットとして使用する場合、ディスプレイ画面１５は開放口１２を封鎖してより良好な冷蔵性能を維持することができる。
【００３５】
以上は、本考案の実施例の説明に過ぎず、当業者であれば本考案の要旨を逸脱することなく幾許かの変更と修飾が可能であろう。すなわち、本考案の権利範囲は、本明細書に添付された実用新案登録請求の範囲に準じる。
【符号の説明】
【００３６】
１０    キャビネット本体
１０１  フレーム
１０２  外殼
１１    収納室
１２    開放口
１３    収納層
１４    ＲＦＩＤリーダライタ
１５    ディスプレイ画面
１６    移動機構
１７    レール
２０    仮想扉
３０    警報器
４０    識別装置
５０    コントローラ
６０    冷却機または加熱機
６１    エアカーテン装置
７０    物品販売システム
８０    第三者支払いサービスプラットフォーム
【図１】
0003219597.tif 000003
【図２】
0003219597.tif 000004
【図３】
0003219597.tif 000005
【図４】
0003219597.tif 000006
【図５】
0003219597.tif 000007
【図６】
0003219597.tif 000008
【図７】
0003219597.tif 000009
【図８−１】
0003219597.tif 000010
【図８−２】
0003219597.tif 000011